(57)【要約】物品と組み合わされ、当該物品に関する１項目以上のデータを送出するのに適したＩＤユニットであって、前記ユニットは前記データを送出するのに適したＩＤ手段を有し、前記ユニットの特徴となるのは、前記ユニットがさらに、前記ＩＤ手段が上に設置されるベース支持部と、前記支持部および前記ＩＤ手段の上に、前記ＩＤ手段を密封された状態で外部から隔てる形に配置されたコーティングと、を有することである。
2008514519.tif 000002
【特許請求の範囲】
【請求項１】
ポンプまたは弁といった流体ディスペンサ部材（５）であって、１以上の項目のデータを送出するのに適したＩＤユニット（１；１´；１´´）を有し、前記ユニットは前記データを送出するのに適したＩＤ手段（３）を有する、という流体ディスペンサ部材であって、
特徴となるのは、前記ユニットがさらに、
前記ＩＤ手段が上に設置されるベース支持部（２；５１）と、
前記支持部および前記ＩＤ手段の上に、前記ＩＤ手段を密封された状態で外部から隔てる形に配置されたコーティング（４）と、を有することである、
という流体ディスペンサ部材。
【請求項２】
ＩＤ手段は支持部とコーティングとの間に配置されていること、
を特徴とする請求項１に記載のディスペンサ部材。
【請求項３】
ベース支持部は全体的には円筒形で、中空の内部（２０）と外壁（２２）とが形成された形となっており、ＩＤ手段（３）は外壁上に設置されており、コーティング（４）はＩＤ手段と外壁の少なくとも一部とを覆っていること、
を特徴とする請求項１または２に記載のディスペンサ部材。
【請求項４】
支持部にＩＤ手段（３）用の収容ハウジング（２３）が形成されていること、
を特徴とする請求項１乃至３のいずれかに記載のディスペンサ部材。
【請求項５】
ＩＤ手段（３）は電子回路基板（３２）とアンテナ（３１）とを有し、前記アンテナは、コーティング（４）の下で支持部（２；５１）の周囲に巻かれたコイルの形で配置されていること、
を特徴とする請求項１乃至４のいずれかに記載のディスペンサ部材。
【請求項６】
電子回路基板（３２）が、支持部（２）に形成された収容ハウジング（２３）の中に収容されていること、
を特徴とする請求項５に記載のディスペンサ部材。
【請求項７】
コーティング（４）は、支持部（２；５１）およびＩＤ手段（３）にオーバーモールドされる形で成形されていること、
を特徴とする請求項１乃至６のいずれかに記載のディスペンサ部材。
【請求項８】
流体貯蔵容器（６）の開口部（６１）に静的な様態で設置される本体（５１）を有し、ＩＤユニットは前記本体（５１）を囲む形で嵌められていること、
を特徴とする請求項１乃至７のいずれかに記載のディスペンサ部材。
【請求項９】
ＩＤユニットには、容器の開口部（６１）に受け止められる形で接する状態となる受けカラー（４２）が形成されていること、
を特徴とする請求項８に記載のディスペンサ部材。
【請求項１０】
ネックガスケット（４８）が容器の開口部に配置されており、前記ガスケットはＩＤユニットに形成されていること、
を特徴とする請求項８または９に記載のディスペンサ部材。
【請求項１１】
流体貯蔵容器（６）の開口部（６１）に静的な様態で設置される本体（５１）を有し、ベース支持部は前記本体（５１）によって形成されていること、
を特徴とする請求項１乃至１０のいずれかに記載のディスペンサ部材。
【請求項１２】
請求項１乃至１１のいずれかに記載のＩＤユニットを製造する方法であって、
ベース支持部（２）を囲む形にＩＤ手段（３）を配置するステップと、
ベース部（２）およびＩＤ手段（３）の上に耐漏洩コーティング（４）をオーバーモールドで成形し、ＩＤ手段が支持部とオーバーモールドで作ったコーティングとの間に耐漏洩様態で埋め込まれた形とするステップと、を有すること、
を特徴とする方法。
【発明の詳細な説明】
【技術分野】
【０００１】
本発明は、物品に組み合わされる識別（ＩＤ：ＩＤentity）ユニットに関する。前記物品は、例えばポンプや弁であり、より一般的に言えば、流体ディスペンサである。
【背景技術】
【０００２】
ＩＤユニットはＩＤ手段を有し、当該ＩＤ手段は、ＩＤユニットと組み合わされた物品の識別を可能にするデータを送出するのに適したものである。物品に関するデータにより、物品の真正性の確認が可能となるほか、物品のトレーサビリティまで保証することができる。こうしたＩＤユニットはどんな種類の物品とも組み合わせることができるが、特に、ポンプや弁といった流体ディスペンサ部材と組み合わされる。加えて、本発明は、こうしたＩＤユニットが装着された流体ディスペンサ部材に関する。さらに、本発明は、こうしたＩＤユニットの製造方法に関する。流体ディスペンサ部材の中でも、本発明は特に、香水、化粧品、さらには医薬品の分野で用いられるポンプや弁に適用される。
【０００３】
公知の種類のＩＤ手段は、アンテナと組み合わされたプリント回路基板を用いている。そうした種類のＩＤ手段は、例えば、「トランスポンダ」という用語で知られている。基板の電子回路によってメモリ内にデータを格納することが可能となる一方で、アンテナは、電子回路に格納されるデータの遠隔送受信を可能にすることを目的としている。そうした種類のＩＤ手段は、データ送受信のための電源すら必要としない。ＩＤ手段への電力の供給を可能にし、データの送信を可能にするのは、アンテナが受信する外部からの放射（radiation）である。よって、ＩＤ手段は電子回路でありながら完全に受動である。
【０００４】
電子回路とアンテナとを有する、こうしたＩＤ手段は、すでに流体ディスペンサ部材（ポンプや弁）と組み合わされており、それは、特許文書ＦＲ−２８３２ １３４号に見られる。当該文書が示す実施の形態では、ＩＤ手段は、弁またはポンプの本体を囲む形に嵌められた支持リングに埋め込まれている。ＩＤ手段は指示リングの上に置かれるだけの場合もあれば、埋め込みまでされる場合もある。別の実施の形態では、ＩＤ手段は、カプセル化や埋め込みといった方法で、本体や本体を構成する壁の中に置かれる。その説明内容は、ＩＤ手段のポンプまたは弁への設置に関し、全く概念的あるいは仮定上の内容である。
【発明の開示】
【発明が解決しようとする課題】
【０００５】
本発明は、例えばポンプや弁といった物品にＩＤ手段を実装することを可能にする、全く実用的な実施の形態を定義することを目的とする。
【課題を解決するための手段】
【０００６】
そこで、本発明が提案するのは、物品と組み合わされるＩＤユニットであって、当該物品に関する１以上の項目のデータを送出するのに適したＩＤユニットであり、前記ユニットは前記データを送出するのに適したＩＤ手段を有する。前記ＩＤユニットについて特徴となるのは、前記ユニットがさらに、前記ＩＤ手段が上に設置されるベース支持部と、前記支持部および前記ＩＤ手段の上に、前記ＩＤ手段を密封された状態で外部から隔てる形に配置されたコーティングと、を有することである。
【発明の効果】
【０００７】
効果的なのは、ＩＤ手段が外部から密封状態で隔てられているという点であり、特に効果的なのは、ＩＤユニットを媒体と接触させる必要や接触した状態に保つ必要があり、その媒体とＩＤ手段とが、当該媒体の特性を劣化または変化させる形で反応する可能性がある、という場合である。前記の事態は、特にポンプや弁の中で、投与対象の流体とＩＤユニットとが接触する場合に起こる。具体的には、香水などのアルコールベースの流体は、多くの物質や素材（例えば接着剤など）と反応する可能性がある。いかなる状況でも、環境やユーザに対して有害な物質を生じさせる形で、香水が抽出されたり結合されたりしてはいけない。
【０００８】
さらに、ＩＤ手段を支持部の上に設置し、その後に支持部をコーティングする、というやり方なので、比較的簡単で低コストの技術が実現される。そうして、ＩＤ手段は支持部とコーティングとの間に配置されている。
また、実際的な実施の形態では、ベース支持部は全体的には円筒形で、中空の内部と外壁とが形成された形となっており、ＩＤ手段は外壁上に設置されており、コーティングはＩＤ手段と外壁の少なくとも一部とを覆っている。中空の内部はハウジング手段として働き、ポンプまたは弁の本体、より一般的に言えば物品の一部、を収容する。そうして、ＩＤユニットは物品に固定される。さらに、コーティングは外壁の全体を覆い、その結果、ＩＤユニットが物品上に設置された後、ベース支持部はもはや目に見えない。そして、効果的な構成として、支持部にＩＤ手段用の収容ハウジングが形成されている。
【０００９】
また、実際的な実施の形態では、ＩＤ手段は電子回路基板とアンテナとを有し、前記アンテナは、コーティングの下で支持部の周囲に巻かれたコイルの形で配置されている。ＩＤ手段は従来からのトランスポンダ型である。そして、この場合、電子回路基板は、支持部に形成された収容ハウジングの中に収容することができる。アンテナに関しては、ベース支持部の外壁に巻くコイルの形で配置すればよい。また、一例として、アンテナは小さなシリンダの形にすることもできる。
【００１０】
特に効果的な特性として、コーティングは、支持部およびＩＤ手段にオーバーモールドされる形で成形されている。オーバーモールド技術を用いれば、物品の媒体と相互反応する可能性のある接着剤や樹脂の使用を回避することができる。例えば、ポンプや弁を備える場合、前記ポンプおよび弁は、貯蔵器内に格納された流体と接触させられる可能性がある。いくつかの流体（例えば香水）は、数多くの素材と相互反応するが、その結果として香水は品質劣化し、時には使用不能ともなる。オーバーモールド技術を用いれば、媒体（流体）と接触することになる材料を全く簡単に制御することが容易であり、そのためには、コーティング用の材料として、物品の媒体が存在する状況で完全に不活性である、という材料を選択する。加えて、オーバーモールドでは密な接触が実現され、それが完全な密封を保証する。このことは、レシーバ手段をハウジング（クランピング、スナップ留め、あるいは接着剤によって物理的に閉じられたもの）の内部に配置しただけの場合には当てはまらない。
【００１１】
本発明はまた、上で述べたＩＤユニットを有する、ポンプや弁などの流体ディスペンサ部材を提供する。
また、第１の実施の形態では、ディスペンサ部材は流体貯蔵容器の開口部に静的な様態で設置される本体を有し、ＩＤユニットは前記本体を囲む形で嵌められている。そして、効果的な構成として、ＩＤユニットには、容器の開口部に受け止められる形で接する状態となる受けカラーが形成されている。受けカラーはネックガスケットとしても働き、流体ディスペンサの密封を可能にする。
【００１２】
また、変形例では、ディスペンサ部材は、流体貯蔵容器の開口部に静的な様態で設置される本体を有し、ベース支持部は前記本体によって形成されている。この場合、ポンプまたは弁の本体は、ベース支持部として直接使用され、その上には、ＩＤ手段が設置された後に、耐漏洩様態のコーティングが行われる。
本発明はまた、ＩＤユニットを製造する方法であって、ベース支持部を囲む形にＩＤ手段を配置するステップと、ベース部およびＩＤ手段の上に耐漏洩コーティングをオーバーモールドで成形し、ＩＤ手段が支持部とオーバーモールドで作ったコーティングとの間に耐漏洩様態で埋め込まれた形とするステップと、を有する、という方法を定義する。
【発明を実施するための最良の形態】
【００１３】
以下、本発明に関して、添付図面を参照しながら、より詳細に説明する。添付図面は、本発明のいくつかの実施の形態を、非限定的な例として示している。
本発明のＩＤユニットは、どんな種類の物品にも、組み合わせ、設置、固定、または組み入れが可能であり、その目的は、当該物品に関して１項目以上のデータを提供することである。物品に関するデータはいかなる種類のものでもよいが、例えば、製造の日付や場所、送り先、出荷日付、受付日付、受取場所、さらには、単なる識別番号またはコード、などが考えられる。ＩＤユニットの目的の１つは、物品の真正性確認および／または追跡を可能にすることである。図３、図４（ａ）、図４（ｂ）において、本発明のＩＤユニットは、流体、液体または粉末を格納した容器またはフラスコに取り付けられた流体ディスペンサ部材（例：ポンプ、弁）に、設置または組み合わされている。
【００１４】
各種の図面が示すのは、２つの主要な実施の形態である。すなわち、図１（ａ）、図１（ｂ）、図１（ｃ）、図２そして図３における実施の形態、そして、図４（ａ）、図４（ｂ）における実施の形態である（ただし、図４（ｂ）は図４（ａ）の変形例である）。
先ず、図１（ａ）、図１（ｂ）、図１（ｃ）、図２を参照する。これらが示すのは、第１の実施の形態を構成するＩＤユニットである。この実施の形態におけるＩＤユニットは、それが設置または組み合わされる対象となる物品から分かれた別個の要素を構成している。本発明では、ＩＤユニットは３つの構成要素から成る。すなわち、ベース支持部２、ＩＤ手段３、そして、コーティング４である。この３要素構造はまた、図４（ａ）および図４（ｂ）の第２の実施の形態にも共通である。ＩＤ手段３はベース支持部２上に設置され、コーティング４はＩＤ手段３およびベース支持部２の一部をカバーする形となる。これが、本発明のＩＤユニットの基本的構造を構成する。
【００１５】
ベース支持部２は、どんな材料からも単一の部分として作ることができるが、プラスチック材のような成形可能な材料から作るのが好ましい。ベース支持部２は、全体的にほぼ円筒の形状を示す。支持部２には中空の内部２０が見られ、これは、効果的な構成として、ＩＤユニットが設置または組み合わされる物品の一部分のための収容ハウジングとして働く。そうして、支持部２には、中空の内部２０を形作る内壁２１と、外壁２２とが見られる。この実施の形態において、内壁２１は、全体的には円筒形であるが、完全な円筒形の主要上側部分２１０と、その下側に延びた截頭円錐形の中間部分２１１と、そして、当該中間部分２１１が狭まった先に延びた最後の下側円筒形部分２１２と、が見られる。よって、中空スペース２０は、上側の開口が下側の開口よりも大きい形となっている。容易に理解できることであるが、截頭円錐形部分２１１は、物品を安定した様態で受け止めることのできる、受け面または接触面として働く。この実施の形態では、外壁２２は、上側端部を除き、その高さ方向の大部分で円筒形であり、当該上側端部では、外壁に保持用リブ２４が形成されている（このリブの機能は後で説明する）。外壁２２にはまた、収容ハウジング２３が形成されており、これは、図１で見た場合、ほぼ下側端部に位置している。 
【００１６】
上述したベース支持部２は、１つの特定の実施の形態を構成するのみであり、これに限定されるものと考えるべきではない。ベース支持部は円筒形以外の形とすることも可能であろう（例えば、完全に平らな形、さらには、ディスクの形）。ベース支持部は、保持用リブ２４および収容ハウジング２３のない形で形成することができる。支持部２は完全な円筒形とすることも可能であろう。
【００１７】
この実施の形態では、ＩＤ手段３はアンテナ３１を有し、当該アンテナは接続ワイヤ３３によって電子またはプリント回路基板３２に接続されている。本実施の形態において、アンテナ３１は伝導ワイヤの円筒形コイルの形となっている。当然のことながら、アンテナ３１に関しては、他の形状を考えることも可能である（例えば、完全に平らな形、さらには、ディスクの形）。回路基板３２は、データ記憶またはメモリの機能の提供を可能にする電子部品を有する。アンテナ３１はトランシーバとして働き、回路基板３２のメモリに格納すべきデータを受信すること、回路基板３２のメモリに格納されているデータを送信することを可能にする。アンテナ３１は、回路基板３２を動作させるためのパワートランスミッタとしても働く。この種のＩＤ手段は、「トランスポンダ」という用語でよく知られ、これは、無線周波数識別（ＲＦＩＤ：Radio Frequency Identification）技術を用いる。こうしたトランスポンダは市販されている。
【００１８】
本発明では、ＩＤ手段３は支持部２の上に設置されており、アンテナ３１が支持部２の外壁２２を囲む形で、嵌められるか、または装着されている。さらに、効果的な構成として、回路基板３２はハウジング２３に収容することができる。この中間設置ステップは、図１（ｃ）に示してある。アンテナ３１は、保持用リブ２４の下側に接する状態にすることができる。しかしながら、留意すべき点として、保持用リブ２４と外壁２２の下側部分とは、アンテナ３１で覆われてはいない。
【００１９】
本発明では、支持部２の一部とＩＤ手段３とは、コーティング４によって覆われている。カバーまたはケース、あるいはシースについて述べることも可能であろう。効果的な構成として、ＩＤ手段は、支持部２とコーティング４との間にとらえられた形とすることにより、耐漏洩様態で外部から隔てられている。この様子は図２で見ることができる。コーティング４は、保持用リブ２４、アンテナ３１、そして、支持部のうち回路基板３２が取り付けられた部分、を全て囲む形で延びている。最後に、コーティングの底の部分には内向きリム４１が設けられており、当該リムは、回路基板３２をカプセル化することを可能にする。また、上側端部において、コーティングには受けカラー４２が形成されているが、その機能については後で説明する。本発明では、コーティング４が、支持部２およびＩＤ手段３の上にオーバーモールドで形成されるのが効果的である。オーバーモールド技術を用いれば、完全な密封が保証され、ＩＤ手段が完全な様態でカプセル化または埋め込みされることが確実となる。それに加えて、オーバーモールド技術を用いれば、糊（glue）、接着剤（adhesive）、または樹脂を使用する必要はなくなる。これが特に効果的であるのは、ＩＤユニットが媒体と接触して、それが予測できない相互作用や化合を生じる可能性がある場合である。コーティング用に完全な不活性材料を選択すれば、ＩＤユニットに関し、接触する相手である媒体に対して完全に不活性となることが保証される。
【００２０】
次いで、図３（ａ）を参照する。同図が示すのは、ネック６１が形成された容器またはフラスコ６を有する、香水スプレー型の流体ディスペンサである。フラスコは、流体（例：香水）を格納するための内部動作空間または貯蔵器６０を形づくっている。知られている通り、香水は数多くの成分（リストに表示されておらず識別不能のものも多い）から成り、それらは、他の成分または物質と相互反応または結合する可能性がある。本ディスペンサにおいて、図２の第１の実施の形態を構成しているＩＤユニットはポンプ５に設置されており、ポンプ５は留めリング７によって容器のネック６１に固定されている。ネック６１における密封を保証するためにネックガスケット８が使用されており、当該ガスケット８は、留めリング７によってネックの頂上エッジに押し付けられて平らになっている。ポンプ５は、留めリング７が嵌められた本体５１を有する。さらに、ポンプ５は、上にディスペンサヘッド９が設置されるアクチュエータロッドを有する。ユーザは、ディスペンサヘッド９を押えてアクチュエータロッド５２を移動させ、それによってポンプ５を駆動する。それに応じて、所定量の香水がヘッド９から投与される。任意の構成として、ポンプ５には、貯蔵器６０内部に達するディップチューブ５３を装着することもできる。ＩＤユニット１は、クランピング接触を伴う形または伴わない形で、ポンプ５の本体５１を囲む形に配置される。本体５１は、支持部２の内部に、クランピング接触で嵌めることができ、支持部は、ポンプ５の収容スペースとして働く中空の内部を有している。また、変形例として、ポンプ５の本体５１は、支持部２の内部に隙間のできる形で配置することもできる。この場合、ＩＤユニット１は、受けカラー４２によってネック６１の内部に固定され、前記カラーは、ネック６１の頂上端部の上に載る形となる。受けカラー４２は、このようにして、容器６のネック６１にＩＤユニットを保持する機能を果たす。当然のことながら、ＩＤユニットの内部にポンプをクランピングすれば、ＩＤユニットをより確実な形で固定することができるであろう。また、一例として、ポンプ５の本体５１を、異なった形状を有する複数のセクションを備えた形で製造することもできるであろう（すなわち、完全に円筒形の主要セクション５１０、截頭円錐形の中間セクション５１１、そして、下側セクション５１２）。図３で分かるように、セクション５１０は支持部２のセクション２１０の中にクランピングで嵌めた状態にすることができ、截頭円錐形セクション５１１は支持部２の截頭円錐形部分２１１に受け止められる形で接する状態になる。そして、円筒形の下側セクション５１２は、円筒形部分２１２の中に嵌まる状態となる。また、コーティング４がネック６１の内部にクランピングの形で嵌まる状態にすることも可能である。さらに、図３（ｂ）に示すように、コーティング４をネックガスケットと一体の形で形成することも可能である。より広く言えば、ＩＤユニットにネックガスケットを形成することも可能である。このことは、ＩＤユニットの構造に関係なく、それ自体で保護が可能な特徴である。
【００２１】
ＩＤユニット１は、このようにネック６１とポンプ５との間で配置されて、貯蔵器に格納された流体と接触している。コーティング（そして、効果的な構成としては支持部）に関して、特に不活性の材料を選択することによって、ＩＤユニットと投与対象の流体との間に相互作用が生じないことが保証される。
次いで、本発明の第２の実施の形態を説明するために、図４（ａ）、図４（ｂ）を参照する。第２の実施の形態においても、ＩＤユニットは、支持部、ＩＤ手段、そしてコーティングを有する。ＩＤ手段は、第１の実施の形態のＩＤ手段と同一とすることができる。コーティングは、第１の実施の形態の場合と同様、オーバーモールド技術で作ることができる。しかし、本実施の形態でのＩＤユニットのベース支持部は、ポンプ５の本体５１に直接形成されている。図４（ａ）における実施の形態では、ポンプ本体５１には下側入口チューブ５１３が形成されており、当該チューブはディップチューブ５３を留めるために使用される。その上側部分において、ポンプ本体５１の一体化部分を形成する入口チューブ５１３の径は、ポンプ本体の径よりも小さくなっている。本発明では、ＩＤ手段３がチューブ５１３を囲む形に嵌められて、その後、コーティング４がＩＤ手段３およびチューブ５１３の上にオーバーモールドされる。一例として、コーティング４は、図４（ａ）で分かるように、本体５１の上側円筒形部分を延長するような形で下向きに延びる、という形に作ることが可能である。このようにすると、ＩＤユニットは実際にはユーザの目に見えない。図４（ｂ）の変形例の実施の形態では、ＩＤユニット１´´は、ネック６１内部でポンプ本体５１上に直接設置されている。ここでもやはり、ＩＤ手段３が本体５１を囲む形に配置されており、コーティング４はＩＤ手段およびポンプ本体の上にオーバーモールドされている。この変形例によれば、ネック６１の内部にＩＤユニットを隠すことができる。このように、図４（ａ）、図４（ｂ）における第２の実施の形態では、ポンプ本体自体がベース支持部として働き、ＩＤ手段３が当該支持部の上に設置された後に、コーティング４がオーバーモールドされる。
【図面の簡単な説明】
【００２２】
【図１】（ａ）本発明の第１の実施の形態を構成するＩＤユニットを支持するベース支持部を示す斜視図である。（ｂ）本発明の実施の形態を構成するＩＤ手段を示す斜視図である。（ｃ）図１（ｂ）のＩＤ手段を図１（ａ）のベース支持部に設置された状態で示す斜視図である。
【図２】図１（ａ）のベース支持部と図１（ｂ）のＩＤ手段とを用いる第１の実施の形態を構成するＩＤユニットの拡大縦断面図である。
【図３】（ａ）図２における第１の実施の形態を構成するＩＤユニットを備えたディスペンサ部材を含む流体ディスペンサの縦断面図である。（ｂ）図３（ａ）と同様の図であり、変形例の実施の形態に関する図である。
【図４】（ａ）本発明の第２の実施の形態を構成するＩＤユニットが装着されたディスペンサ部材を含む流体ディスペンサの縦断面図である。（ｂ）図４（ａ）の変形例である。
【図１】
2008514519.tif 000003
【図２】
2008514519.tif 000004
【図３】
2008514519.tif 000005
【図４】
2008514519.tif 000006
【手続補正書】
【提出日】平成18年7月18日(2006.7.18)
【手続補正１】
【補正対象書類名】特許請求の範囲
【補正対象項目名】全文
【補正方法】変更
【補正の内容】
【特許請求の範囲】
【請求項１】
ポンプまたは弁といった流体ディスペンサ部材（５）であって、１以上の項目のデータを送出するのに適したＩＤユニット（１；１´；１´´）を有し、前記ユニットは前記データを送出するのに適したＩＤ手段（３）を有する、という流体ディスペンサ部材であって、前記ユニットがさらに、
前記ＩＤ手段が上に設置されるベース支持部（２；５１）と、
前記支持部および前記ＩＤ手段の上に、前記ＩＤ手段を密封された状態で外部から隔てる形に配置されたコーティング（４）と、を有し、
特徴となるのは、
コーティング（４）が、支持部（２；５１）およびＩＤ手段（３）にオーバーモールドされる形で成形されていることである、
という流体ディスペンサ部材。
【請求項２】
ＩＤ手段は支持部とコーティングとの間に配置されていること、
を特徴とする請求項１に記載のディスペンサ部材。
【請求項３】
ベース支持部は全体的には円筒形で、中空の内部（２０）と外壁（２２）とが形成された形となっており、ＩＤ手段（３）は外壁上に設置されており、コーティング（４）はＩＤ手段と外壁の少なくとも一部とを覆っていること、
を特徴とする請求項１または２に記載のディスペンサ部材。
【請求項４】
支持部にＩＤ手段（３）用の収容ハウジング（２３）が形成されていること、
を特徴とする請求項１乃至３のいずれかに記載のディスペンサ部材。
【請求項５】
ＩＤ手段（３）は電子回路基板（３２）とアンテナ（３１）とを有し、前記アンテナは、コーティング（４）の下で支持部（２；５１）の周囲に巻かれたコイルの形で配置されていること、
を特徴とする請求項１乃至４のいずれかに記載のディスペンサ部材。
【請求項６】
電子回路基板（３２）が、支持部（２）に形成された収容ハウジング（２３）の中に収容されていること、
を特徴とする請求項５に記載のディスペンサ部材。
【請求項７】
流体貯蔵容器（６）の開口部（６１）に静的な様態で設置される本体（５１）を有し、ＩＤユニットは前記本体（５１）を囲む形で嵌められていること、
を特徴とする請求項１乃至６のいずれかに記載のディスペンサ部材。
【請求項８】
ＩＤユニットには、容器の開口部（６１）に受け止められる形で接する状態となる受けカラー（４２）が形成されていること、
を特徴とする請求項７に記載のディスペンサ部材。
【請求項９】
ネックガスケット（４８）が容器の開口部に配置されており、前記ガスケットはＩＤユニットに形成されていること、
を特徴とする請求項７または８に記載のディスペンサ部材。
【請求項１０】
流体貯蔵容器（６）の開口部（６１）に静的な様態で設置される本体（５１）を有し、ベース支持部は前記本体（５１）によって形成されていること、
を特徴とする請求項１乃至９のいずれかに記載のディスペンサ部材。
【請求項１１】
請求項１乃至１０のいずれかに記載のＩＤユニットを製造する方法であって、
ベース支持部（２）を囲む形にＩＤ手段（３）を配置するステップと、
ベース部（２）およびＩＤ手段（３）の上に耐漏洩コーティング（４）をオーバーモールドで成形し、ＩＤ手段が支持部とオーバーモールドで作ったコーティングとの間に耐漏洩様態で埋め込まれた形とするステップと、を有すること、
を特徴とする方法。
【国際調査報告】
2008514519.tif 000007
2008514519.tif 000008
2008514519.tif 000009
2008514519.tif 000010
2008514519.tif 000011
2008514519.tif 000012